(57)【要約】【課題】筆記芯の繰り出し機構にボールチャックを採用しつつ、ノック操作によって独自の衝撃音が伴われるようにしたシャープペンシルを提供すること。【解決手段】ノックカバー３０のノック操作によって、軸方向に前進移動する第１部材２７と、前記第１部材２７に係止して当該第１部材の前進移動に連動して前進移動する第２部材３６と、前記第２部材の所定の前進移動位置において前記第２部材３６の前進移動を阻止することで前記第１部材と第２部材の係止状態を解くストッパー２ａと、前記第１部材に対する第２部材の係止状態が解かれた状態で、前記第２部材３６が軸方向に後退移動して衝突する第３部材２５ａとが具備されている。【選択図】図６
2014205282.tif 000002
【特許請求の範囲】
【請求項１】
軸芯に筆記芯の挿通孔が形成されると共に前端部が軸方向に形成された複数のスリットにより放射方向に分割されたチャック本体部と、円筒状に形成されて前方に向かって内径を拡大するテーパ面を備えたホルダーと、前記チャック本体部と前記ホルダーのテーパ面との間に介在された複数のボールとが備えられたボールチャック機構が軸筒内に収容され、ノック操作によって前記チャック本体部が前記ホルダーから前進動作するように構成されたシャープペンシルであって、
前記ノック操作に伴って、軸方向に前進移動する第１部材と、前記第１部材に係止して当該第１部材の前進移動に連動して前進移動する第２部材と、前記第２部材の所定の前進移動位置において前記第２部材の前進移動を阻止することで前記第１部材と第２部材の係止状態を解くストッパーと、前記第１部材に対する第２部材の係止状態が解かれた状態で、前記第２部材が軸方向に後退移動して衝突する第３部材とが具備されていることを特徴とするシャープペンシル。
【請求項２】
前記第１部材２７は外周面の一部に第１摺接部が形成され、前記第２部材は内周面の一部に第２摺接部が形成され、前記第１部材の第１摺接部と前記第２部材の第２摺接部とが接する摩擦により、前記第１部材に対して第２部材が係止されることを特徴とする請求項１に記載されたシャープペンシル。
【請求項３】
前記第２部材には、前記内周面に形成された第２摺接部に続いて軸方向の前方に向かって内径を拡大するテーパ面が形成され、前記ノック操作に伴って、前記第１部材に対する第２部材の係止状態が解かれた状態で、前記第２部材に形成されたテーパ面が、前記第１部材に形成された第１摺接部から離れつつ、第２部材が軸方向に後退移動するように構成したことを特徴とする請求項２に記載されたシャープペンシル。
【請求項４】
前記第１部材は内周面の一部に第１摺接部が形成され、前記第２部材は外周面の一部に第２摺接部が形成され、前記第１部材の第１摺接部と前記第２部材の第２摺接部とが接する摩擦により、前記第１部材に対して第２部材が係止されることを特徴とする請求項１に記載されたシャープペンシル。
【請求項５】
前記第２部材には、前記外周面に形成された第２摺接部に続いて軸方向の前方に向かって内径を縮小するテーパ面が形成され、前記ノック操作に伴って、前記第１部材に対する第２部材の係止状態が解かれた状態で、前記第２部材に形成されたテーパ面が、前記第１部材に形成された第１摺接部から離れつつ、第２部材が軸方向に後退移動するように構成したことを特徴とする請求項４に記載されたシャープペンシル。
【請求項６】
前記ストッパーは、前記軸筒内の一部、もしくは前記軸筒内に収容されて前進移動が阻止される第４部材により構成され、前記ストッパーに前記第２部材の一部が軸方向に当接することで、前記第２部材の前進移動を阻止するように構成したことを特徴とする請求項１ないし請求項５のいずれか１項に記載されたシャープペンシル。
【請求項７】
前記第１部材は、後端部に消しゴムが着脱可能に装着されると共に、前記消しゴムを覆うノックカバーが取り付けられてなるノック操作体であることを特徴とする請求項１ないし請求項６のいずれか１項に記載されたシャープペンシル。
【発明の詳細な説明】
【技術分野】
【０００１】
この発明は、筆記芯（替え芯）の繰り出し手段としてボールチャック機構を用いたシャープペンシルに関し、特にノック操作によって筆記芯を繰り出す場合に、独自の衝撃音が伴われるようにしたシャープペンシルに関する。
【背景技術】
【０００２】
ノック操作式のシャープペンシルは、例えば軸筒の後端部に突出するノック部をノック操作することで、軸筒の前端部における先端ガイド部材より、筆記芯が一定量繰り出されるように作用する。
このようなノック操作に基づいて筆記芯を順次繰り出すための芯繰り出し機構の代表例として、コレットチャック機構（特許文献１）と呼ばれているものと、ボールチャック機構（特許文献２）と呼ばれているものが知られている。
【先行技術文献】
【特許文献】
【０００３】
【特許文献１】実開昭６３−４３７９０号公報
【特許文献２】実開昭６１−２５１８６号公報
【０００４】
ところで、前者のコレットチャックによる芯繰り出し機構は、軸芯に筆記芯の挿通孔が形成されると共に、その前端部が軸方向に形成された複数のスリットにより放射方向に分割された金属製のチャック本体部と、このチャック本体部の前端部を囲むようにして嵌合されたリング状の締め具が具備されている。
そして、ノック操作に伴い前記チャック本体部が前進することで、リング状の締め具はチャック本体部との嵌合が外れ、その反作用により前記締め具が軸方向に後退して独自の衝撃音が発生する。
したがって、前記したコレットチャックによる芯繰り出し機構によると、ノック操作の度に『カチ・カチ』という衝撃音が伴われる。
【０００５】
一方、後者のボールチャックによる芯繰り出し機構は、軸芯に筆記芯の挿通孔が形成されると共に、その前端部が軸方向に形成された複数のスリットにより放射方向に分割された金属製のチャック本体部と、円筒状に形成されて内周面が前方に向かって広がるテーパ面を備えたホルダーが具備され、前記ホルダーとチャック本体部との間に、複数のボールが介在された構成にされている。
【０００６】
したがってこの構成によると、筆記芯に筆記圧が加わった場合には、チャック本体部が前記ボールを介してホルダーのテーパ面に当接するために筆記芯はチャック本体部によって把持され、筆記芯の後退は阻止される。また筆記芯に前方に引き出す力が働く場合には、チャック本体部は前記ホルダーによる作用を受けないために、筆記芯を比較的抵抗なく前方に引き出すことができるという前記したコレットチャック機構ではなし得られない特質を備えている。
【０００７】
しかしながら、後者のボールチャック機構においては、ノック操作によって衝撃音を発生させる前者のコレットチャックにおけるリング状締め具と同様の機能を果たす部材がなく、ノック操作において、めりはりに乏しい感触となる。
【発明の概要】
【発明が解決しようとする課題】
【０００８】
この発明は、ボールチャックによる芯繰り出し機構を採用したシャープペンシルの前記した問題点、すなわちノック操作時にめりはりに乏しい感触となる点に着目してなされたものであり、芯繰り出し機構にボールチャックを採用しつつ、ノック操作によって独自の衝撃音が伴われるように工夫したシャープペンシルを提供することを課題とするものである。
【課題を解決するための手段】
【０００９】
前記した課題を解決するためになされたこの発明にかかるシャープペンシルの基本形態は、軸芯に筆記芯の挿通孔が形成されると共に前端部が軸方向に形成された複数のスリットにより放射方向に分割されたチャック本体部と、円筒状に形成されて前方に向かって内径を拡大するテーパ面を備えたホルダーと、前記チャック本体部と前記ホルダーのテーパ面との間に介在された複数のボールとが備えられたボールチャック機構が軸筒内に収容され、ノック操作によって前記チャック本体部が前記ホルダーから前進動作するように構成されたシャープペンシルであって、前記ノック操作に伴って、軸方向に前進移動する第１部材と、前記第１部材に係止して当該第１部材の前進移動に連動して前進移動する第２部材と、前記第２部材の所定の前進移動位置において前記第２部材の前進移動を阻止することで前記第１部材と第２部材の係止状態を解くストッパーと、前記第１部材に対する第２部材の係止状態が解かれた状態で、前記第２部材が軸方向に後退移動して衝突する第３部材とが具備されていることを特徴とする。
【００１０】
そして、好ましい一つの形態においては、前記第１部材は外周面の一部に第１摺接部が形成され、前記第２部材は内周面の一部に第２摺接部が形成され、前記第１部材の第１摺接部と前記第２部材の第２摺接部とが接する摩擦により、前記第１部材に対して第２部材が係止されるように構成される。
【００１１】
この場合、前記第２部材には、前記内周面に形成された第２摺接部に続いて軸方向の前方に向かって内径を拡大するテーパ面が形成されていることが望ましく、前記ノック操作に伴って、前記第１部材に対する第２部材の係止状態が解かれた状態で、前記第２部材に形成されたテーパ面が、前記第１部材に形成された第１摺接部から離れつつ、第２部材が軸方向に後退移動するように構成される。
【００１２】
また、この発明にかかるシャープペンシルの好ましい他の一つの形態においては、前記第１部材は内周面の一部に第１摺接部が形成され、前記第２部材は外周面の一部に第２摺接部が形成され、前記第１部材の第１摺接部と前記第２部材の第２摺接部とが接する摩擦により、前記第１部材に対して第２部材が係止されるように構成される。
【００１３】
この場合、前記第２部材には、前記外周面に形成された第２摺接部に続いて軸方向の前方に向かって内径を縮小するテーパ面が形成されていることが望ましく、前記ノック操作に伴って、前記第１部材に対する第２部材の係止状態が解かれた状態で、前記第２部材に形成されたテーパ面が、前記第１部材に形成された第１摺接部から離れつつ、第２部材が軸方向に後退移動するように構成される。
【００１４】
加えて、前記したいずれの形態においても、前記ストッパーは、前記軸筒内の一部、もしくは前記軸筒内に収容されて前進移動が阻止される第４部材により構成され、前記ストッパーに前記第２部材の一部が軸方向に当接することで、前記第２部材の前進移動を阻止するように構成される。
【００１５】
さらに前記した第１部材としては、後端部に消しゴムが着脱可能に装着され、前記消しゴムを覆うノックカバーが取り付けられたノック操作体を好適に利用することができる。
【発明の効果】
【００１６】
前記した構成のシャープペンシルによると、ノック操作によってボールチャック機構の働きにより、軸筒の前端部における先端ガイド部材より、筆記芯を一定量繰り出すように動作させることができる。
また、前記したノック操作に伴って、軸方向に前進移動する第１部材が、これに係止された第２部材を前進移動させると共に、第２部材の所定の前進位置においてストッパーにより前進移動が阻止されるように構成される。したがって前記第２部材は第１部材との係止状態が解かれ、その反動により軸方向に後退移動して、第３部材に衝突するように動作する。
【００１７】
前記第２部材が前記第３部材に衝突することにより衝撃音が発生し、ノック操作にめりはりを付けた感触を得ることができる。
すなわち、前記した第２部材が従来のコレットチャックを構成するリング状締め具と同様の機能を果たすことになり、ボールチャックを採用しつつ、ノック操作においてはコレットチャックと同様の感触が得られるシャープペンシルを提供することができる。
【図面の簡単な説明】
【００１８】
【図１】この発明に係るシャープペンシルの第１の形態について全体構成を示した断面図である。
【図２】図１における符号Ａ部分の拡大断面図である。
【図３】図１における符号Ｂ部分の拡大断面図である。
【図４】図３に示した状態に対して、ノック操作が進んだ状態を示す拡大断面図である。
【図５】図４に示した状態に対して、さらにノック操作が進んだ状態を示す拡大断面図である。
【図６】図５における部分拡大図である。
【図７】この発明に係るシャープペンシルの第２の形態について全体構成を示した断面図である。
【図８】図７における符号Ｃで示す部分の拡大断面図である。
【図９】図７における符号Ｄで示す部分の拡大断面図である。
【図１０】この発明に係るシャープペンシルの第３の形態について全体構成を示した断面図である。
【図１１】図１０における符号Ｅで示す部分の拡大断面図である。
【図１２】図１１に示した状態に対して、ノック操作が進んだ状態を示す拡大断面図である。
【図１３】図１２に示した状態に対して、さらにノック操作が進んだ状態を示す拡大断面図である。
【図１４】図１３における部分拡大図である。
【発明を実施するための形態】
【００１９】
この発明に係るシャープペンシルについて、図に示す実施の形態に基づいて説明する。なお、以下に示す各図においては、同一部分もしくは同一の機能を果たす部分を同一符号で示しているが、紙面の都合により一部の図面においては代表的な部分に符号を付け、その詳細な構成はその他の図面に付けた符号を引用して説明する場合もある。
【００２０】
先ず図１〜図６は、この発明に係るシャープペンシルの第１の実施の形態について示したものであり、そのうち図１は全体構成を断面図で示したものである。
図１に示されているように、シャープペンシルの外郭を構成する軸筒は、先軸１および後軸２により構成されており、前記先軸１および後軸２は、中央の連結部材３を介して直線状に連結されている。
【００２１】
すなわち、前記連結部材３は円筒状に形成されると共に、軸方向の前後にそれぞれ雄ねじが形成されており、この前後の雄ねじに対して先軸１の後端部および後軸２の前端部にそれぞれ形成された各雌ねじが螺合されることで、前記先軸１および後軸２は連結部材３を中央にして連結されている。
【００２２】
前記先軸１の前端部には、図２に示されているとおり、その内周面に口先部４が螺合されることで、口先部４が先軸１に対して着脱可能に取り付けられている。
この口先部４は前方に向かって内径が段状に細くなるように構成されており、その内部にはスライダー５が軸方向にスライド可能に収容されている。なお、前記スライダー５も前方に向かって外径が段状に細くなるように構成されており、スライダー５の先端部５ａは円柱状に形成されて、前記口先部４の前端部に筒状に形成された孔より突出した状態で収容されている。
【００２３】
前記スライダー５の円柱状の先端部５ａには、筆記芯Ｌの先端ガイド部材として機能する先端パイプ６がパイプ保持具７を介して取り付けられている。
また、前記スライダー５の内部空間における前記したパイプ保持具７の直後には、中央に通孔を形成したゴム製の保持チャック８が収容されており、この保持チャック８の前記通孔は前記筆記芯Ｌの周面に摺接して筆記芯を一時的に摩擦により保持するように作用する。なお、前記した先軸１の前端部から口先部４の一部を覆うようにして円環状部材９が口先部４に嵌め込まれて取り付けられている。
【００２４】
前記スライダー５の内部空間には、前記筆記芯Ｌを把持するボールチャック１１が配置されている。このボールチャック１１には、円筒状に形成されて内周面が前方に向かって広がるテーパ面を備えたホルダー１２と、このホルダー１２内に収容され、軸芯に沿って前記筆記芯Ｌの通孔が形成されると共に、その前端部が軸方向に形成された複数のスリットにより放射方向に分割されたチャック本体部１３と、前記チャック本体部１３の外周面と前記ホルダー１２の内周面との間に配置された複数のボール１４とが備えられている。  なお、前記ホルダー１２の前端部の内周面には、前記したボール１４が脱落するのを阻止する環状のストッパー部材１５が嵌め込まれている。
【００２５】
したがって、前記ボールチャック１１は、前記筆記芯Ｌに筆記圧が加わった場合には、チャック本体部１３がボール１４と共に円筒状のホルダー１２内のテーパ面に当接するために筆記芯Ｌはチャック本体部１３によって強力に把持される。これにより、ボールチャック１１において筆記芯Ｌの後退は阻止される。
一方、前記筆記芯Ｌを前方に引き出す力が働く場合には、チャック本体部１３は前記ホルダー１２による作用を受けないために、筆記芯Ｌを比較的抵抗なく前方に引き出すことができる。すなわち、ボールチャック１１は、前記筆記芯Ｌの前進を許容し後退を阻止するように作用する。
【００２６】
前記したチャック本体部１３の長さ方向の中央部を囲むようにしてコイル状のスプリング１６が配置されており、このスプリング１６は、前記チャック本体部１３を軸方向の後方に付勢するように働き、これにより前記ボールチャック１１は、筆記芯Ｌを把持した状態になされる。このスプリング１６を便宜上、チャック用スプリングと称呼する。
【００２７】
なお、前記ボールチャック１１を構成するホルダー１２の外周面に対して前記スライダー５は軸方向にスライド可能に構成されており、前記ホルダー１２はその後端部側においてパイプ部材１８の内周面に嵌合されて取り付けられている。
そして、パイプ部材１８において外径が若干太く成形された段部と、前記したスライダー５との間には、スプリング２０が収容されている。
このスプリング２０は前記スライダー５を前方に押し出すように作用するものであり、前記スプリング２０を便宜上、スライダー押し出し用スプリングと称呼する。
【００２８】
一方、前記したチャック本体部１３の直後には、筆記芯Ｌの通孔を備えた短軸状の軸部材２１が、前記パイプ部材１８内に軸方向に移動可能に配置されている。この短軸状の軸部材２１の後端部には、芯ケース２３が嵌合されて取り付けられており、後述するノック操作による芯ケース２３の前進動作に伴って、前記軸部材２１の前端部が前記チャック本体部１３の後端部に当接し、当該チャック本体部１３を前方に押し出すように作用する。
【００２９】
図１に示すシャープペンシルの後半部の詳細な構成が図３に示されている。前記した後軸２の後端部には、円筒状に形成されたクリップ支持体２５が後軸２内に挿入された状態で装着されている。すなわち、クリップ支持体２５の前端部に形成された雄ねじが、後軸２内に形成された雌ねじに螺合され、この際にクリップ２６のリング状の基端部が、後軸２の後端部とクリップ支持体２５の大径部との間に挟持されて取り付けられている。
【００３０】
そして、前記した芯ケース２３の後端部にノック操作体２７が取り付けられて、当該ノック操作体２７は、円筒状に形成されたクリップ支持体２５内に位置している。また、前記ノック操作体２７とクリップ支持体２５との間の空間部には、ノック操作体２７の戻しスプリング２８が配置されている。
さらに、前記ノック操作体２７の後端部には、筆記芯Ｌの補給孔２７ａが形成されると共に、これを閉塞するようにして消しゴム２９がノック操作体２７に対して着脱可能に装着され、前記消しゴム２９を覆うノック部材として機能するノックカバー３０が、ノック操作体２７の後端部の周面に着脱可能に取り付けられている。
【００３１】
したがって、ノック部材として機能する前記ノックカバー３０をノック操作することにより、前記ノック操作体２７を介して芯ケース２３は前進移動する。この芯ケース２３の前進移動により、図２に示す短軸状の軸部材２１が前進してチャック本体部１３を前方に押し出すように作用する。
これにより、チャック本体部１３は筆記芯Ｌを銜えたままホルダー１２に対して前進移動する。そしてノック操作の解除によりノック操作体２７は、戻しスプリング２８の作用により後退して図３に示す状態に復帰する。
【００３２】
この時、前記チャック本体部１３は前記チャック用スプリング１６の作用により後退するが、筆記芯Ｌはスライダー５内に収容された前記保持チャック８の摩擦によって保持されるため、チャック本体部１３の後退動作に伴って筆記芯Ｌはチャック本体部１３から相対的に引き出され、筆記芯Ｌの先端部は先端パイプ６から繰り出された状態を維持する。
したがって、前記したノック操作を繰り返すごとに、筆記芯Ｌを所定量ずつ繰り出すことができる。
【００３３】
また、前記ノックカバー３０をノックした状態に維持することで、チャック本体部１３は芯Ｌの把持を解除した状態になされるので、先端パイプ６から繰り出された状態の筆記芯Ｌを指先等で押し戻すことができる。
【００３４】
この実施の形態に係るシャープペンシルは、前記したノック操作に伴い衝撃音を発生させる発音機構３５が具備されている。この発音機構３５は、図３〜図５に示されると共に、その主要部が図６に拡大されて示されている。
なお図３〜図５は、図面の簡単な説明の欄に記載したとおり、ノック動作の進行にしたがって軸方向に移動する各主要部の位置関係を示したものであり、図６はノック操作に伴い衝撃音が発音される瞬間の状態を示している。
【００３５】
図３〜図６に示すように、ノック操作に伴って軸方向に前進移動する前記ノック操作体２７（これを第１部材ともいう。）には、軸に直交する方向に環状に突出する大径部２７ｂが形成されている。
一方、前記第１部材２７と後軸２との間には、円筒状に形成された第２部材３６が軸方向に移動可能に配置されている。この第２部材３６の内周面には、図６に示されているように縮径部３６ａが形成されており、前記第１部材２７の大径部２７ｂと前記第２部材３６の縮径部３６ａが接する摩擦により、前記第１部材２７に対して第２部材３６が係止されるように構成されている。
【００３６】
したがって、前記ノックカバー３０をノック操作することにより、図４に示すように、軸方向に前進移動する第１部材２７に係止されて、第２部材３６も前進移動することができる。なお、前記第１部材２７の大径部２７ｂを第１摺接部と称呼し、前記第２部材３６の縮径部３６ａを第２摺接部とも称呼する。
【００３７】
また、前記第２部材３６の外周面には大径部３６ｂが形成されており、一方前記第２部材３６の所定の前進移動位置において、前記第２部材３６の前進移動を阻止するストッパー２ａが前記後軸２内に形成されている。
前記ストッパー２ａは後軸２内に突出して形成された環状の段部がその機能を果たし、前記第２部材３６の所定の前進移動位置において、第２部材３６の大径部３６ｂが前記ストッパー２ａに軸方向に当接することで、第２部材３６の前進移動が阻止される。
これにより、図５に示されているように、前記第１部材２７の大径部（第１摺接部）２７ｂと第２部材３６の縮径部（第２摺接部）３６ａとは、係止状態が解かれる。
【００３８】
なお、前記第２部材３６には、その内周面に形成された前記縮径部（第１摺接部）３６ａに続いて軸方向の前方に向かって内径を拡大するテーパ面３６ｃ（図６参照）が形成されている。
これにより、前記第１部材２７に対する第２部材３６の係止状態が解かれた反作用を受けて、第２部材のテーパ面３６ｃが第１部材２７の大径部（第１摺接部）２７ｂから離れつつ、第２部材３６は軸方向に後退移動する。
【００３９】
前記第２部材３６の後退移動方向には、クリップ支持体２５に形成された軸方向に直交する環状の面２５ａ、すなわち第３部材が配置されており、第２部材３６の後端部に軸方向に折り曲げ形成された後端面３６ｄが、前記した第３部材２５ａに衝突して、衝撃音が発せられる。
なお図６は前記したとおり、第２部材３６の後端面３６ｄが第３部材２５ａに衝突する直前の状態を示している。
そして、ノック操作の解除により第１部材２７を構成する前記ノック操作体は、戻しスプリング２８の作用により後退して図３に示す状態に復帰する。
【００４０】
したがって、前記した実施の形態によると、筆記芯の繰り出し機構にボールチャックを採用しつつ、一回ごとのノック操作により前記第２部材３６が前記第３部材２５ａに衝突する衝撃音が発せられることになり、前記した発明の効果の欄に記載したとおりの作用効果を得ることができる。
【００４１】
図７〜図９は、この発明に係るシャープペンシルの第２の実施の形態を示したものであり、そのうち図７は全体構成を断面図で示したものである。
この第２の実施の形態においては、前記した第１の実施の形態において備えられた各部材に加えて、図７に示されているように、筆記芯の回転駆動機構４１がさらに備えられている。以下、この実施の形態において加えられた筆記芯の回転駆動機構４１について、図８および図９に基づいて説明する。
【００４２】
この第２の実施の形態に係るシャープペンシルにおいては、後軸２内にユニット化された回転駆動機構４１が収容されている。
この回転駆動機構４１には、回転カムが具備され、図８に示されたボールチャック１１に把持された筆記芯Ｌが受ける筆記圧による軸方向の僅かな後退動作および筆記圧の解除による筆記芯Ｌの軸方向の前進動作を受けて前記回転カムを一方向に回転駆動させるように作用する。
【００４３】
すなわち、前記筆記芯Ｌが筆記圧を受けた場合には、図８に示すチャック本体部１３が若干後退し、ボール１４を介してホルダー１２も後退する。前記ホルダー１２にはパイプ部材１８が連結されており、筆記圧を受けた場合の筆記芯Ｌの後退動作および前進動作（以下、これをクッション動作とも言う。）は、前記パイプ部材１８を介して前記した回転駆動機構４１に伝達される。
【００４４】
図９は、前記回転駆動機構４１の全体構成を断面図で示したものである。図９に示す前記パイプ部材１８は前記した芯ケース２３を覆うようにして同軸状に配置されており、パイプ部材１８は、筆記動作に基づく筆記芯Ｌの後退および前進動作（クッション動作）を回転駆動機構４１に伝達させると共に、前記クッション動作によって生ずる前記回転駆動機構４１における回転カムの回転運動を前記パイプ部材１８を介して前記ボールチャック１１およびスライダー５等に伝達させるように作用する。
【００４５】
この回転駆動機構４１には、図９に示すように円筒状に形成された回転カム４２が具備されており、前記したパイプ部材１８は、回転駆動機構４１の前端部において、前記回転カム４２の内周面に嵌合することで結合されている。
前記回転カム４２は、その前端部付近が若干径を太くした太径部になされ、その太径部の一端面（後端面）には周方向に沿って連続的に鋸歯状になされた第１のカム面４２ａが形成されており、太径部の他端面（前端面）には同じく周方向に沿って連続的に鋸歯状になされた第２のカム面４２ｂが形成されている。
【００４６】
一方、前記回転カム４２の後端部側を覆うようにして円筒状の第１固定カム形成部材４３が、前記回転カム４２を回動可能に保持して配置されており、前記第１固定カム形成部材４３の前端部外周には、円筒状の第２固定カム形成部材４４が、第１固定カム形成部材４３に嵌合されて取り付けられている。
【００４７】
そして、前記回転カム４２における第１のカム面４２ａに対峙する第１固定カム形成部材４３の前端面に、周方向に沿って連続的に鋸歯状になされた第１の固定カム面４３ａが形成されている。また、前記回転カム４２における第２のカム面４２ｂに対峙する第２固定カム形成部材４４の前端部内面に、同じく周方向に沿って連続的に鋸歯状になされた第２の固定カム面４４ａが形成されている。
【００４８】
前記した回転カム４２の後端部側を覆うようにして、シリンダー部材４５が第１固定カム形成部材４３に嵌め込まれて取り付けられており、このシリンダー部材４５の後端部には芯ケース２３が挿通できる挿通孔４５ａが形成されている。そして、前記シリンダー部材４５内には円筒状に形成されて軸方向に移動可能なトルクキャンセラー４６が配置され、当該トルクキャンセラー４６の内周面前端と前記シリンダー部材４５の内周面後端との間にはコイル状のクッションスプリング４７が装着されている。
【００４９】
前記クッションスプリング４７は、前記トルクキャンセラー４６を前方に付勢するように作用し、この付勢力を受けた前記トルクキャンセラー４６に押されて前記回転カム４２は前方に向かうように作用する。
前記した回転駆動機構４１は、その中央部が芯ケース２３を通す空間部になされて芯ケース２３とは分離されており、前記した符号４２〜４７で示す各部材により一体に結合されてユニット化されている。
【００５０】
前記した回転駆動機構４１を備えた構成においては、前記ボールチャック１１が筆記芯Ｌを把持した状態で、前記回転カム４２はパイプ部材１８を介してボールチャック１１、スライダー５と共に軸芯を中心にして回転可能になされている。そして、シャープペンシルが筆記状態以外の場合においては、前記クッションスプリング４７の作用により前記トルクキャンセラー４６を介して回転カム４２は前方に付勢されている。
【００５１】
一方、筆記を行った場合、すなわち先端パイプ６から突出している筆記芯Ｌに筆記圧が加わった場合には、前記ボールチャック１１は前記クッションスプリング４７の付勢力に抗して若干後退し、これに伴って回転カム４２も軸方向に後退する。したがって、回転カム４２に形成された第１のカム面４２ａは前記第１固定カム面４３ａに接合して噛み合い状態になされる。
【００５２】
この場合、対峙した状態の第１カム面４２ａと第１固定カム面４３ａは、軸方向においてカムの一歯に対して半位相（半ピッチ）ずれた関係となるように設定されており、前記したように第１カム面４２ａが第１固定カム面４３ａに接合して噛み合い状態になされることによって、回転カム４２は第１カム面４２ａの一歯の半位相（半ピッチ）に相当する回転駆動を受ける。
【００５３】
そして、前記したように第１カム面４２ａが第１固定カム面４３ａに接合して噛み合い状態になされた状態においては、対峙した状態の鋸歯状の第２カム面４２ｂと第２固定カム面４４ａは、軸方向においてカムの一歯に対して半位相（半ピッチ）ずれた関係となるように設定されている。
【００５４】
したがって一画の筆記が終わり、筆記芯に対する筆記圧が解かれた場合には、前記したトルクキャンセラー４６の作用により回転カム４２は軸方向に僅かに押し出されて前進し、回転カム４２に形成された第２カム面４２ｂが、第２固定カム４４ａに噛み合う。これにより回転カム４２は第２カム面４２ｂの一歯の半位相（半ピッチ）に相当する同方向の回転駆動を再び受ける。
【００５５】
以上のとおり、前記したシャープペンシルによると、筆記圧を受けることによる回転カム４２の軸方向への往復運動に伴って、回転カム４２は第１カム面４２ａおよび第２カム面４２ｂの一歯（１ピッチ）に相当する回転駆動を受け、前記したチャック本体部１３を介してこれに把持された筆記芯Ｌも同様に一方向に回転駆動される。
【００５６】
なお、前記した回転駆動機構４１において、コイル状のクッションスプリング４７の付勢力を受けて回転カム４２を前方に押し出す円筒状のトルクキャンセラー４６は、このトルクキャンセラー４６の前端面と前記回転カム４２の後端面との間ですべりを発生させて、前記回転カム４２の回転運動をクッションスプリング４７に伝達するのを避けるように作用する。
【００５７】
換言すれば、前記回転カム４２とクッションスプリング４７との間に、トルクキャンセラー４６が介在されることにより、前記回転カム４２の回転運動が前記したすべり作用により前記クッションスプリング４７に伝達されるのを阻止するように作用する。これにより、スプリング４７の捩じれ戻り（バネトルク）が発生して、回転カム４２の回転動作に障害を与えるという問題を解消させることができる。
【００５８】
この第２の実施の形態に係るシャープペンシルによると、軸筒を筆記面（紙面）に対して例えば４０〜８０度程度傾けた状態で筆記した場合、一画文字を書くたびごとに筆記芯Ｌが僅かに一方向に回転駆動されるので、筆記芯の先端部は常に円錐形状にとがった状態に保たれる。これにより、常にほぼ同一の線幅をもって筆記をすることが可能となる。
【００５９】
加えて、この構成のシャープペンシルにおいても、第１の実施の形態と同様に、筆記芯の繰り出し機構にボールチャックを採用しつつ、一回ごとのノック操作により発音機構３５により衝撃音が発せられることになり、前記した発明の効果の欄に記載したとおりの作用効果を得ることができる。
【００６０】
次に図１０〜図１４は、この発明に係るシャープペンシルの第３の実施の形態を示したものであり、そのうち図１０は全体構成を断面図で示している。
この第３の実施の形態においても、前記した第２の実施の形態と同様に筆記芯の回転駆動機構４１を備えた構成にされているが、その発音機構３５については第１および第２の実施の形態とは異なる構成が採用されている。
したがって図１０〜図１４については、すでに説明した各部と同一の機能を果たす部分を同一符号で示し、その詳細な説明は省略する。そして、第１および第２の実施の形態とは異なる特に発音機構３５の構成について、以下詳細に説明する。
【００６１】
この第３の実施の形態に係るシャープペンシルに搭載された発音機構３５は、図１１〜図１３に示されると共に、その主要部が図１４に拡大されて示されている。
なお図１１〜図１３は、ノック動作の進行にしたがって軸方向に移動する各主要部の位置関係を示したものであり、図１４はノック操作に伴い衝撃音が発音される瞬間の状態を示している。
【００６２】
図１１〜図１３に示すように、ノック操作に伴って軸方向に前進移動するノック操作体（第１部材）２７の内周面には、軸芯方向に環状に突出する縮径部２７ｃが形成されている。
一方、前記第１部材２７の前端部側には、前記芯ケース３を囲むようにして、円筒状に形成された第２部材３６が軸方向に移動可能に配置されている。この第２部材３６における後端部側の外周面には、大径部３６ｅが形成されており、前記第１部材２７の縮径部２７ｃと前記第２部材３６の大径部３６ｅが接する摩擦により、前記第１部材２７に対して第２部材３６が係止されるように構成されている。
【００６３】
したがって、前記ノックカバー３０をノック操作することにより、図１１に示すように、軸方向に前進移動する第１部材２７に係止されて、第２部材３６も前進移動することができる。なおこの実施の形態においては、前記第１部材２７の縮径部２７ｃを第１摺接部と称呼し、前記第２部材３６の大径部３６ｅを第２摺接部と称呼する。
【００６４】
また、前記第２部材３６の前端部には環状の鍔部３６ｆが形成されており、前記第２部材３６の所定の前進移動位置において、前記第２部材３６の前進移動を阻止するストッパー２ａが前記後軸２内に形成されている。
前記ストッパー２ａは後軸２内に突出して形成された環状の段部がその機能を果たし、前記第２部材３６の所定の前進移動位置において、第２部材３６の鍔部３６ｆが前記ストッパー２ａに軸方向に当接することで、第２部材３６の前進移動が阻止される。
これにより、図１３に示されているように、前記第１部材２７の縮径部（第１摺接部）２７ｃと第２部材３６の大径部（第２摺接部）３６ｅとは、係止状態が解かれる。
【００６５】
なお、前記第２部材３６には、図１４に示すように外周面に形成された前記大径部（第２摺接部）３６ｅに続いて軸方向の前方に向かって内径を縮小するテーパ面３６ｇが形成されている。
これにより、前記第１部材２７に対する第２部材３６の係止状態が解かれた反作用を受けて、第２部材のテーパ面３６ｇが第１部材２７の縮径部（第１摺接部）２７ｃから離れつつ、第２部材３６は軸方向に後退移動する。
【００６６】
前記第２部材３６に形成された鍔部３６ｆの後退移動方向には、クリップ支持体２５の前端部２５ｂ、すなわち第３部材が配置されており、後退する第２部材３６の前記鍔部３６ｆが前記した第３部材２５ｂに衝突して、衝撃音が発せられる。
なお図１４は、第２部材３６の鍔部３６ｆが第３部材２５ｂに衝突する直前の状態を示している。
そして、ノック操作の解除により第１部材２７を構成する前記ノック操作体は、戻しスプリング２８の作用により後退して図１１に示す状態に復帰する。
【００６７】
したがって、前記した実施の形態によると、筆記芯の繰り出し機構にボールチャックを採用しつつ、一回ごとのノック操作により前記第２部材３６が前記第３部材（クリップ支持体２５の前端部）２５ｂに衝突する衝撃音が発せられることになり、前記した発明の効果の欄に記載したとおりの作用効果を得ることができる。
【００６８】
以上説明した第１〜第３の実施の形態においては、ノック操作に基づく第２部材３６の所定の前進移動位置において、前記第２部材３６の前進移動を阻止するストッパーとして、後軸２内に突出して形成された環状の段部２ａを利用した構成が示されている。
前記ストッパーについては、この構成に限られることなく、軸筒１，２内に収容されて軸方向の前進移動が阻止される第４部材により構成されていてもよい。
【００６９】
例えば図１０に示すように、第４部材としてユニット化された回転駆動機構４１を利用し、前記第２部材３６がユニット化された回転駆動機構（第４部材）４１に軸方向に当接する構成を採用することができる。
前記第４部材としての回転駆動機構４１は、連結部材３との間に配置された軸スプリング４２によって後方に向かって付勢されており、ノック操作により前記第２部材３６が前進移動した場合、前記回転駆動機構４１も前記軸スプリング４２を収縮させて若干前進する。しかし、回転駆動機構（第４部材）４１は前進移動に伴い、前記連結部材３に当接して、それ以上の前進が拒まれる。
【００７０】
したがって、ユニット化された前記回転駆動機構（第４部材）４１が、前記第２部材３６の前進移動を阻止するストッパーとして機能し、前記第１部材２７の縮径部（第１摺接部）２７ｃと第２部材３６の大径部（第２摺接部）３６ｅとは係止状態が解かれる。これにより、前記したとおり発音機構３５として独自の衝撃音を伴う作用効果を得ることができる。
【符号の説明】
【００７１】
１      先軸（軸筒）
２      後軸（軸筒）
２ａ    ストッパー
３      連結部材
４      口先部
５      スライダー
６      先端パイプ（先端ガイド部材）
８      保持チャック
１１    ボールチャック
１２    ホルダー
１３    チャック本体部
１４    ボール
１６    チャック用スプリング
１８    パイプ部材
２３    芯ケース
２５    クリップ支持体
２５ａ  環状面（第３部材）
２５ｂ  前端部（第３部材）
２６    クリップ
２７    ノック操作体（第１部材）
２７ｂ  大径部（第１摺接部）
２７ｃ  縮径部（第１摺接部）
２８    戻しスプリング
３０    ノックカバー
３５    発音機構
３６    第２部材
３６ａ  縮径部（第２摺接部）
３６ｂ  大径部
３６ｃ  テーパ面
３６ｄ  後端面
３６ｅ  大径部（第２摺接部）
３６ｆ  鍔部
３６ｇ  テーパ面
４１    回転駆動機構（第４部材）
４２    軸スプリング
Ｌ      筆記芯
【図１】
2014205282.tif 000003
【図２】
2014205282.tif 000004
【図３】
2014205282.tif 000005
【図４】
2014205282.tif 000006
【図５】
2014205282.tif 000007
【図６】
2014205282.tif 000008
【図７】
2014205282.tif 000009
【図８】
2014205282.tif 000010
【図９】
2014205282.tif 000011
【図１０】
2014205282.tif 000012
【図１１】
2014205282.tif 000013
【図１２】
2014205282.tif 000014
【図１３】
2014205282.tif 000015
【図１４】
2014205282.tif 000016